(57)【特許請求の範囲】
【請求項１】
ネットワークに接続された画像形成装置と、
前記ネットワークに接続された端末装置とを備え、
前記端末装置は、ページデータに基づく画面を表示装置に表示させるウェブブラウザーを有し、
前記画像形成装置は、
前記ウェブブラウザーからの要求に応じて前記ページデータを送信するウェブサーバーと、
ジョブを受け付けるジョブ受付部と、
前記ジョブの状態を特定するジョブ状態管理部と、
前記ウェブブラウザーからの要求に応じて、各未完ジョブの詳細情報画面のページデータへのリンクを含むジョブリスト画面のページデータを生成し前記ウェブサーバーで前記ウェブブラウザーへ送信するページデータ生成部とを有し、
前記詳細情報画面は、１つのジョブについて、前記ジョブ状態管理部により特定された状態を表示する画面であり、
前記ページデータ生成部は、前記ウェブブラウザーからの要求に応じて、ジョブ要求画面のページデータを生成し前記ウェブサーバーで前記ウェブブラウザーへ送信し、前記ジョブ要求画面のページデータに基づいてジョブが要求され前記ジョブ受付部により前記ジョブが受け付けられると、前記ジョブの詳細情報画面のページデータへのリンクを含む、前記ジョブの受付確認画面のページデータを生成し前記ウェブサーバーで前記ウェブブラウザーへ送信すること、
を特徴とする画像形成システム。
【請求項２】
ジョブを受け付けるジョブ受付部と、
前記ジョブの状態を特定するジョブ状態管理部と、
各未完ジョブの詳細情報画面のページデータへのリンクを含むジョブリスト画面のページデータを生成するページデータ生成部とを備え、
前記詳細情報画面は、１つのジョブについて、前記ジョブ状態管理部により特定された状態を表示する画面であり、
前記ページデータ生成部は、ジョブ要求画面のページデータを生成し、前記ジョブ要求画面のページデータに基づいてジョブが要求され前記ジョブ受付部により前記ジョブが受け付けられると、前記ジョブの詳細情報画面のページデータへのリンクを含む、前記ジョブの受付確認画面のページデータを生成すること、
を特徴とする画像形成装置。
【請求項３】
端末装置のウェブブラウザーからの要求に応じてページデータを送信するウェブサーバーを備え、
前記ページデータ生成部は、前記ウェブブラウザーからの要求に応じて、ジョブ要求画面のページデータを生成し前記ウェブサーバーで前記ウェブブラウザーへ送信し、前記ジョブ要求画面のページデータに基づいてジョブが要求され前記ジョブ受付部により前記ジョブが受け付けられると、前記ジョブの詳細情報画面のページデータへのリンクを含む、前記ジョブの受付確認画面のページデータを生成し前記ウェブサーバーで前記ウェブブラウザーへ送信すること、
を特徴とする請求項２記載の画像形成装置。
【請求項４】
前記ジョブが受け付けられたときに、そのジョブについての詳細情報画面のページデータのＵＲＬが割り当てられて保持され、そのＵＲＬが、前記ジョブの詳細情報画面のページデータへのリンクに含められることを特徴とする請求項３記載の画像形成装置。
【請求項５】
前記ページデータは、ＨＴＭＬで記述されていることを特徴とする請求項２から請求項４のうちのいずれか１項記載の画像形成装置。
【請求項６】
ジョブを受け付けるジョブ受付部と、
前記ジョブの状態を特定するジョブ状態管理部と、
各未完ジョブの詳細情報画面のページデータへのリンクを含む未完ジョブリスト画面のページデータを生成するページデータ生成部とを備え、
前記ページデータ生成部は、ジョブ要求画面のページデータを生成し、前記ジョブ要求画面のページデータに基づいてジョブが要求され前記ジョブ受付部により前記ジョブが受け付けられると、前記未完ジョブリスト画面のページデータへのリンクを含む、前記ジョブの受付確認画面のページデータを生成すること、
を特徴とする画像形成装置。
【発明の詳細な説明】
【技術分野】
【０００１】
本発明は、画像形成システムおよび画像形成装置に関するものである。
【背景技術】
【０００２】
近年、プリンター、複合機などといった画像形成装置の多くは、ネットワーク機能を有しており、ネットワークを介してパーソナルコンピューターなどの端末装置から、印刷、ファクシミリ装置、画像読取などのジョブの要求を受け付け、そのジョブを実行する。
【０００３】
特に、ある画像形成装置は、ウェブサーバー機能を有しており、端末装置からの要求に応じて、ＨＴＭＬ（Hypertext Markup Language）で記述された画面データを端末装置へ送信する。端末装置では、ウェブブラウザーで、その画面データに基づく画面が表示される。そのような画面としては、機器設定画面、ジョブ履歴画面などがある。
【０００４】
他方、ある画像形成装置は、操作パネルを有しており、操作パネルに対して所定のユーザー操作があると、その時点で未完の、および完了したジョブのリストをその操作パネルに表示する（例えば特許文献１参照）。
【先行技術文献】
【特許文献】
【０００５】
【特許文献１】特開平１０−２８１９６号公報
【発明の概要】
【発明が解決しようとする課題】
【０００６】
通常、あるジョブの状態の詳細情報を表示させるためには、ユーザーは、まず、メニュー画面においてジョブのリスト表示を選択することでジョブのリストを表示させ、次に、そのジョブのリストの中からそのジョブを選択する。このような最低でも２回の操作を行わなければ、ジョブの状態の詳細情報が表示されない。
【０００７】
したがって、ユーザーがジョブ要求を行った後に、そのジョブの状態の詳細情報を表示させるためには、メニュー画面に戻り、上述のように、リストから所望のジョブを選択する操作を行う必要がある。
【０００８】
本発明は、上記の問題に鑑みてなされたものであり、ユーザーがジョブ要求を行った後に、そのジョブの状態の詳細情報を簡単な操作で表示させることができる画像形成システムおよび画像形成装置を得ることを目的とする。
【課題を解決するための手段】
【０００９】
上記の課題を解決するために、本発明では以下のようにした。
【００１０】
本発明に係る画像形成システムは、ネットワークに接続された画像形成装置と、そのネットワークに接続された端末装置とを備える。端末装置は、ページデータに基づく画面を表示装置に表示させるウェブブラウザーを有する。画像形成装置は、ウェブブラウザーからの要求に応じてページデータを送信するウェブサーバーと、ジョブを受け付けるジョブ受付部と、ジョブの状態を特定するジョブ状態管理部と、ウェブブラウザーからの要求に応じて、各未完ジョブの詳細情報画面のページデータへのリンクを含むジョブリスト画面のページデータを生成しウェブサーバーでウェブブラウザーへ送信するページデータ生成部とを有する。そして、詳細情報画面は、１つのジョブについて、ジョブ状態管理部により特定された状態を表示する画面であり、ページデータ生成部は、ウェブブラウザーからの要求に応じて、ジョブ要求画面のページデータを生成しウェブサーバーでウェブブラウザーへ送信し、ジョブ要求画面のページデータに基づいてジョブが要求されジョブ受付部によりジョブが受け付けられると、ジョブの詳細情報画面のページデータへのリンクを含む、ジョブの受付確認画面のページデータを生成しウェブサーバーでウェブブラウザーへ送信する。
【００１１】
これにより、ユーザーは、ジョブの受付確認画面から詳細情報画面へのリンクを辿ることで、ジョブ受け付け後にただちに詳細情報画面を表示させることができる。このため、ユーザーがジョブ要求を行った後に、そのジョブの状態の詳細情報を簡単な操作で表示させることができる。
【００１２】
本発明に係る画像形成装置は、ジョブを受け付けるジョブ受付部と、ジョブの状態を特定するジョブ状態管理部と、各未完ジョブの詳細情報画面のページデータへのリンクを含む未完ジョブリスト画面のページデータを生成するページデータ生成部とを備える。そして、詳細情報画面は、ジョブ状態管理部により特定された１つのジョブの状態を表示する画面であり、ページデータ生成部は、ジョブ要求画面のページデータを生成して送信し、ジョブ要求画面のページデータに基づいてジョブが要求されジョブ受付部によりジョブが受け付けられると、ジョブの詳細情報画面のページデータへのリンクを含む、ジョブの受付画面のページデータを生成する。
【００１３】
これにより、ユーザーは、ジョブの受付画面から詳細情報画面へのリンクを辿ることで、ジョブ受け付け後にただちに詳細情報画面を表示させることができる。このため、ユーザーがジョブ要求を行った後に、そのジョブの状態の詳細情報を簡単な操作で表示させることができる。
【００１４】
また、本発明に係る画像形成装置は、上記の画像形成装置に加え、次のようにしてもよい。この場合、画像形成装置は、端末装置のウェブブラウザーからの要求に応じてページデータを送信するウェブサーバーを備える。ページデータ生成部は、ウェブブラウザーからの要求に応じて、ジョブ要求画面のページデータを生成しウェブサーバーでウェブブラウザーへ送信し、ジョブ要求画面のページデータに基づいてジョブが要求されジョブ受付部によりジョブが受け付けられると、ジョブの詳細情報画面のページデータへのリンクを含む、ジョブの受付確認画面のページデータを生成しウェブサーバーでウェブブラウザーへ送信する。
【００１５】
これにより、遠隔の端末装置を操作するユーザーは、ジョブの受付確認画面から詳細情報画面へのリンクを辿ることで、ジョブ受け付け後にただちに詳細情報画面を表示させることができる。このため、ユーザーがジョブ要求を行った後に、そのジョブの状態の詳細情報を簡単な操作で表示させることができる。
【００１６】
また、本発明に係る画像形成装置は、上記の画像形成装置のいずれかに加え、次のようにしてもよい。この場合、ジョブが受け付けられたときに、そのジョブについての詳細情報画面のページデータのＵＲＬが割り当てられて保持され、そのＵＲＬがジョブの詳細情報画面のページデータへのリンクに含められる。
【００１７】
また、本発明に係る画像形成装置は、上記の画像形成装置のいずれかに加え、次のようにしてもよい。この場合、ページデータは、ＨＴＭＬで記述されていることを特徴とする。
【００１８】
また、本発明に係る画像形成装置は、ジョブを受け付けるジョブ受付部と、ジョブの状態を特定するジョブ状態管理部と、各未完ジョブの詳細情報画面のページデータへのリンクを含む未完ジョブリスト画面のページデータを生成するページデータ生成部とを備える。そして、ページデータ生成部は、ジョブ要求画面のページデータを生成し、ジョブ要求画面のページデータに基づいてジョブが要求されジョブ受付部によりジョブが受け付けられると、未完ジョブリスト画面のページデータへのリンクを含む、ジョブの受付確認画面のページデータを生成する。
【００１９】
これにより、ユーザーは、ジョブの受付確認画面からリンクを辿ることで、未完ジョブリスト画面を表示させ、その未完ジョブリスト画面から、ジョブ受け付け後にただちに詳細情報画面を表示させることができる。このため、ユーザーがジョブ要求を行った後に、そのジョブの状態の詳細情報を簡単な操作で表示させることができる。
【発明の効果】
【００２０】
本発明によれば、ユーザーがジョブ要求を行った後に、そのジョブの状態の詳細情報を簡単な操作で表示させることができる。
【図面の簡単な説明】
【００２１】
【図１】図１は、本発明の実施の形態に係る画像形成システムの構成を示すブロック図である。
【図２】図２は、図１における画像形成装置の構成を示すブロック図である。
【図３】図３は、図１における端末装置の構成を示すブロック図である。
【図４】図４は、図１における端末装置のウェブブラウザーでの画面遷移について説明する図である。
【図５】図５は、ジョブリスト画面およびジョブ詳細情報画面の一例を示す図である。
【図６】図６は、ジョブ要求画面およびジョブ受付確認画面の一例を示す図である。
【発明を実施するための形態】
【００２２】
以下、図に基づいて本発明の実施の形態を説明する。
【００２３】
図１は、本発明の実施の形態に係る画像形成システムの構成を示すブロック図である。図１に示すシステムにおいては、画像形成装置１が、ネットワーク２に接続され、そのネットワーク２に端末装置３が接続されている。画像形成装置１は、プリンター、スキャナー機、コピー機、複合機などといった装置である。この画像形成装置１は、複数のユーザーにより共用されており、各ユーザーは、画像形成装置１の操作パネルを直接操作して画像形成装置１を利用することができるとともに、遠隔の端末装置３から画像形成装置１を利用することができる。
【００２４】
図２は、図１における画像形成装置１の構成を示すブロック図である。
【００２５】
画像形成装置１は、プリンター１１と、スキャナー１２と、ファクシミリ装置１３と、操作パネル１４と、通信装置１５と、演算処理装置１６とを備える。
【００２６】
プリンター１１は、印刷データに基づいて原稿画像を印刷する内部デバイスである。スキャナー１２は、原稿から原稿画像を光学的に読み取り、原稿画像の画像データを生成する内部デバイスである。ファクシミリ装置１３は、送信すべき原稿画像の画像データからファクシミリ信号を生成し送信するとともに、ファクシミリ信号を受信し画像データに変換する内部デバイスである。
【００２７】
また、操作パネル１４は、画像形成装置１の筐体表面に配置され、ユーザーに対して各種情報を表示する表示装置と、ユーザー操作を検出する入力装置とを有する。表示装置としては例えば液晶ディスプレイが使用される。入力装置としては、キースイッチ、タッチパネルなどが使用される。キースイッチはハードウェアキーであり、表示装置およびタッチパネルによりソフトウェアキーが実現される。このように、操作パネル１４は、画像形成装置１のユーザーインターフェースである。
【００２８】
また、通信装置１５は、ネットワーク２に接続され、ネットワーク２を介して他の装置（端末装置３など）と所定の通信プロトコルでデータ通信を行う装置である。通信装置１５としては、ネットワークインターフェース、モデムなどが使用される。
【００２９】
また、演算処理装置１６は、ＣＰＵ（Central Processing Unit）、ＲＯＭ（Read Only Memory）、ＲＡＭ（Random Access Memory）などを有するコンピューターであり、図示せぬ記憶装置、ＲＯＭなどからＲＡＭへプログラムをロードし、そのプログラムをＣＰＵで実行することにより、各種処理部を実現する。
【００３０】
画像形成装置１の起動後に、各種プログラムが演算処理装置１６により適宜実行される。この実施の形態では、演算処理装置１６により、図示せぬオペレーティングシステム、コントローラー３１、通信処理部３２、パネル制御部３３、ジョブ制御部３４、認証認可管理部３５、ステータス管理部３６、ウェブサーバー管理部３７、サービス実行部３８などの処理部が実現される。
【００３１】
コントローラー３１は、プリンター１１、スキャナー１２、ファクシミリ装置１３、操作パネル１４などといった内部デバイスを監視および制御する処理部である。コントローラー３１は、内部デバイスの状態をステータス管理部３６に通知する。
【００３２】
通信処理部３２は、通信装置１５を制御してデータ通信を実行する処理部である。通信処理部３２は、ウェブサーバーを有し、ＨＴＴＰ（Hypertext Transfer Protocol）で端末装置３のウェブブラウザーと通信する。
【００３３】
パネル制御部３３は、コントローラー３１を使用して、操作パネル１４に各種画面を表示させたり、操作パネル１４に対するユーザー操作を検出したりするとともに、ユーザー操作などに従って画面遷移を行う処理部である。
【００３４】
ジョブ制御部３４は、サービス実行部３８により受け付けたジョブ要求に応じたジョブを実行する処理部である。ジョブ制御部３４は、コントローラー３１を使用して、ジョブ種別に応じた内部デバイス（プリンター１１など）を動作させる。
【００３５】
認証認可管理部３５は、ユーザー認証を行い、ユーザーのログインを許可するか否かを判定するとともに、ジョブ認可情報に基づいて所定の１または複数のジョブ種別についてユーザーによるジョブの実行を許可するか否かを判定する。認証認可管理部３５は、ログイン中のユーザー（つまり、ログインを許可されたユーザー）の属性情報（ユーザーの表示名、電子メールアドレスなど）を、必要に応じて特定する。ユーザーの属性情報は、ユーザーＩＤと関連付けられており、ログイン時に入力されるユーザーＩＤに基づいて、ログイン中のユーザーの属性情報が特定される。
【００３６】
ステータス管理部３６は、コントローラー３１からの内部デバイス状態の情報などに基づいて、サービス実行部３８により受け付けられたジョブの状態を特定する。
【００３７】
ウェブサーバー管理部３７は、ステータス管理部３６により特定された各ジョブの状態に基づいて、各未完ジョブの詳細情報画面のページデータへのリンクを含むジョブリスト画面のページデータを生成する。ウェブサーバー管理部３７は、ＨＴＭＬで記述されたページデータを生成するページデータ生成部である。
【００３８】
詳細情報画面は、ジョブ状態管理部により特定された１つのジョブの状態を表示する画面である。ウェブサーバー管理部３７は、ジョブ要求画面のページデータを生成して送信し、ジョブ要求画面のページデータに基づいてジョブが要求されサービス実行部３８によりジョブが受け付けられると、ジョブの受付確認画面のページデータを生成する。受付確認画面のページデータには、ジョブの詳細情報画面のページデータへのリンクが記述されている。そのリンクのリンク先となるＵＲＬは、そのジョブに固有なものであり、ジョブが受け付けられたときに割り当てられる。
【００３９】
この実施の形態では、ウェブサーバー管理部３７は、端末装置３のウェブブラウザーからの要求が通信処理部３２のウェブサーバーで受信されると、その要求に応じて、ジョブ要求画面のページデータを生成しそのウェブサーバーでそのウェブブラウザーへ送信し、ジョブ要求画面のページデータに基づいてジョブが要求されサービス実行部３８によりジョブが受け付けられると、ジョブの詳細情報画面のページデータへのリンクを含む、ジョブの受付確認画面のページデータを生成しそのウェブサーバーでそのウェブブラウザーへ送信する。
【００４０】
サービス実行部３８は、操作パネル１４に対するユーザー操作やネットワーク２を介して端末装置３から供給されるコマンドによるジョブ要求（印刷、コピー、ファクシミリ送信、システム設定変更など）を受け付け、その要求に応じたジョブを実行させる。印刷、コピー、ファクシミリ送信などのジョブについては、サービス実行部３８は、ジョブ制御部３４に実行させる。したがって、サービス実行部３８は、ジョブを受け付けるジョブ受付部として機能する。サービス実行部３８は、ジョブを受け付けると、そのジョブにＩＤを割り当て、以後、各部３６，３７，３８において、そのジョブは、そのＩＤで特定可能となる。
【００４１】
図２において、記憶装置１７は、ハードディスクドライブ、フラッシュメモリーなどといった不揮発性の記憶装置であって、１または複数の文書ボックス１７ａを形成する。文書ボックス１７ａには、１または複数の文書データファイルが格納可能である。例えば、この画像形成装置１では、文書ボックス１７ａ内の文書データファイルに基づく文書の印刷といったジョブも実行可能である。
【００４２】
図３は、図１における端末装置３の構成を示すブロック図である。端末装置３は、例えば、オペレーティングシステム、ウェブブラウザーなどをインストールされたネットワーク通信機能を有するパーソナルコンピュータである。
【００４３】
端末装置３は、通信装置４１と、表示装置４２と、入力装置４３と、演算処理装置４４とを備える。
【００４４】
通信装置４１は、ネットワーク２に接続され、ネットワーク２を介して他の装置（画像形成装置１など）と所定の通信プロトコルでデータ通信を行う装置である。通信装置４１としては、ネットワークインターフェース、モデムなどが使用される。
【００４５】
表示装置４２は、端末装置３のユーザーに対して各種画面を表示する、液晶ディスプレイなどといった装置である。入力装置４３は、ユーザーによるユーザー操作を検出する、キーボード、マウスなどといった装置である。
【００４６】
また、演算処理装置４４は、ＣＰＵ、ＲＯＭ、ＲＡＭなどを有するコンピューターであり、図示せぬ記憶装置、ＲＯＭなどからＲＡＭへプログラムをロードし、そのプログラムをＣＰＵで実行することにより、各種処理部を実現する。
【００４７】
端末装置３の起動後に、各種プログラムが演算処理装置４４により適宜実行される。この実施の形態では、演算処理装置４４により、図示せぬオペレーティングシステム、通信処理部６１、ウェブブラウザー６２などの処理部が実現される。
【００４８】
通信処理部６１は、通信装置４１を制御してデータ通信を実行する処理部である。ウェブブラウザー６２は、通信処理部６１を使用して、ＨＴＴＰでウェブサーバーからページデータ（ＨＴＭＬファイル）を取得し、そのページデータに基づく画面を表示装置４２に表示させる処理部である。
【００４９】
次に、上記システムにおける各装置の動作について説明する。
【００５０】
図４は、図１における端末装置３のウェブブラウザー６２での画面遷移について説明する図である。
【００５１】
端末装置３のウェブブラウザー６２は、画像形成装置１のＵＲＬ（Uniform Resource Locator）が選択されると、通信処理部６１および通信装置４４を使用して、初期画面のページデータの送信要求をＨＴＴＰ（Hypertext Transfer Protocol）で送信する。
【００５２】
画像形成装置１では、通信処理部３２のウェブサーバーが通信装置１５を使用して、ネットワーク２を介して伝送されてきたその送信要求を受信すると、ウェブサーバー管理部３７は、その送信要求で指定された初期画面のページデータを生成し、ウェブブラウザー６２へ送信する。このとき、ウェブサーバー管理部３７は、例えば図４に示すように、メニュー１２１を含む初期画面１０１のページデータを生成する。このメニュー１２１における各項目は、各画面のページデータへのリンクを有している。ウェブブラウザー６２は、そのページデータを受信すると、初期画面１０１を表示装置４２に表示させる。
【００５３】
そして、この初期画面１０１から、あるジョブの状態の詳細情報を表示させるためには、ユーザーは、まず、メニュー１２１においてジョブリスト画面１０２へのリンク（メニュー１２１における項目「ジョブステータス」）を選択する。この操作に従って、ウェブブラウザー６２は、その項目のリンクに含まれるＵＲＬへ、ページデータの送信要求を送信する。このページデータは、図４に示すジョブリスト画面１０２のページデータである。画像形成装置１では、通信処理部３２のウェブサーバーがこの送信要求を受信すると、ウェブサーバー管理部３７は、ステータス管理部３６により特定されているその時点でのジョブ（未完ジョブ、あるいは、未完ジョブおよび完了ジョブ）のリストを含むページデータを生成し、ウェブブラウザー６２へ送信する。ウェブブラウザー６２は、そのページデータを受信すると、ジョブリスト画面１０２を表示装置４２に表示させる。次に、ジョブリスト画面１０２において、ユーザーは、所望のジョブのジョブ詳細画面１０３のページデータへのリンクを選択する。この操作に従って、ウェブブラウザー６２は、その項目のリンクに含まれるＵＲＬへ、ページデータの送信要求を送信する。このページデータは、図４に示すジョブ詳細情報画面１０３のページデータである。画像形成装置１では、通信処理部３２のウェブサーバーがこの送信要求を受信すると、ウェブサーバー管理部３７は、ステータス管理部３６により特定されているそのジョブの状態の詳細情報を含むページデータを生成し、ウェブブラウザー６２へ送信する。ウェブブラウザー６２は、そのページデータを受信すると、ジョブ詳細情報画面１０３を表示装置４２に表示させる。
【００５４】
このように、初期画面１０１から、あるジョブの状態の詳細情報を表示させるためには、ユーザーは、まず、ジョブリスト画面１０２を表示させ、次に、そのジョブリストの中からそのジョブを選択して、そのジョブの詳細情報画面１０３を表示させる。
【００５５】
図５は、ジョブリスト画面およびジョブ詳細情報画面の一例を示す図である。図５（Ａ）は、ジョブリスト画面の一例を示し、図５（Ｂ）は、ジョブ詳細情報画面の一例を示す。図５（Ａ）に示すように、各ジョブのジョブ名が、そのジョブの詳細情報画面へのリンクを有している。図５（Ｂ）に示すように、ジョブの状態の詳細情報としては、ジョブの実行状態（実行中、待機中など）、実行中である場合の進捗状況などが表示される。
【００５６】
他方、例えば、文書ボックス１７ａ内の文書データファイルに基づいて文書の印刷を実行させる場合、ユーザーは、入力装置４３を操作して、メニュー１２１内の項目「文書ボックス」をクリックする。この操作に従って、ウェブブラウザー６２は、その項目のリンクに含まれるＵＲＬへ、ページデータの送信要求を送信する。このページデータは、図４に示す文書選択画面１０４のページデータである。画像形成装置１では、通信処理部３２のウェブサーバーがこの送信要求を受信すると、ウェブサーバー管理部３７は、文書ボックス１７ａ内の文書データファイルのリストを含むページデータを生成し、ウェブブラウザー６２へ送信する。ウェブブラウザー６２は、そのページデータを受信すると、文書選択画面１０４を表示装置４２に表示させる。
【００５７】
次に、文書選択画面１０４において、ユーザーは、ジョブ要求の対象となる所望の文書データファイル（例えば、図４における「仕様書」）を選択してクリックする。これにより、その文書データファイルについてのジョブ要求を行うためのジョブ要求画面１０５のページデータへのリンクが選択される。この操作に従って、ウェブブラウザー６２は、そのリンクに含まれるＵＲＬへ、ページデータの送信要求を送信する。このページデータは、図４に示すジョブ要求画面１０５のページデータである。画像形成装置１では、通信処理部３２のウェブサーバーがこの送信要求を受信すると、ウェブサーバー管理部３７は、その文書についてのジョブ要求画面１０５のページデータを生成し、ウェブブラウザー６２へ送信する。ウェブブラウザー６２は、そのページデータを受信すると、ジョブ要求画面１０５を表示装置４２に表示させる。
【００５８】
このジョブ要求画面１０５において、ユーザーは、入力装置４３を使用して、印刷部数などの印刷設定を入力した後、印刷ボタン１３１を押下する。この操作に従って、ウェブブラウザー６２は、印刷ボタン１３１に割り当てられているＵＲＬへ、印刷設定をパラメーターとしたＨＴＴＰコマンド等としてジョブ要求を送信する。
【００５９】
画像形成装置１では、通信処理部３２のウェブサーバーがこのジョブ要求を受信すると、サービス実行部３８が、そのジョブ要求により指定されたジョブをジョブ制御部３４に実行させ、また、ウェブサーバー管理部３７は、そのジョブ要求を受け付けたことを示すジョブ受付確認画面１０６のページデータを生成し、ウェブブラウザー６２へ送信する。ウェブブラウザー６２は、そのページデータを受信すると、ジョブ受付確認画面１０６を表示装置４２に表示させる。このとき、ウェブサーバー管理部３７は、このジョブ要求により指定されたジョブのジョブ詳細情報画面１０３のページデータへのリンクを、ジョブ受付確認画面１０６のページデータに含める。したがって、図４に示すように、ジョブ受付確認画面１０６には、このジョブのジョブ詳細情報画面１０３へのリンク１４１が表示される。
【００６０】
そして、ユーザーは、このジョブのジョブ詳細情報画面１０３を見たい場合には、このジョブ受付確認画面１０６において、入力装置４３を使用して、ジョブ詳細情報画面１０３へのリンク１４１をクリックする。この操作に従って、ウェブブラウザー６２は、そのリンクに含まれるＵＲＬへ、ページデータの送信要求を送信する。このページデータは、図４に示すジョブ詳細情報画面１０３のページデータである。画像形成装置１では、通信処理部３２のウェブサーバーがこの送信要求を受信すると、ウェブサーバー管理部３７は、サービス実行部３８により受け付けたジョブのジョブ詳細情報画面１０３のページデータを生成し、ウェブブラウザー６２へ送信する。ウェブブラウザー６２は、そのページデータを受信すると、そのジョブ詳細情報画面１０３を表示装置４２に表示させる。一方、ユーザーは、このジョブのジョブ詳細情報画面１０３の表示が必要なければ、このジョブ受付確認画面１０６において、入力装置４３を使用して、ＯＫボタン１４２を押下する。この操作に従って、ウェブブラウザー６２は、ジョブ受付確認画面１０６を消去し、文書選択画面１０４を再度表示させる。
【００６１】
このように、ジョブの要求を発行した後、ジョブ受付確認画面１０６が表示され、その画面１０６に対する１回の操作でただちにそのジョブのジョブ詳細情報画面１０３を表示させることができる。このため、そのジョブのジョブ詳細情報画面１０３を表示させるために、メニュー１２１からジョブリスト画面１０２を選択しその画面１０２においてそのジョブを選択するといった多くの作業は必要ない。
【００６２】
図６は、ジョブ要求画面およびジョブ受付確認画面の一例を示す図である。図６（Ａ）は、ジョブ要求画面の一例を示し、図６（Ｂ）は、ジョブ受付確認画面の一例を示す。図６（Ａ）に示す画面は、文書選択画面とジョブ要求画面とが１つになっている。このため、図６（Ａ）に示す画面に対して、文書データファイルの選択と、ジョブの要求とがユーザー操作により行われる。また、図６（Ａ）では、複数の文書ボックス１７ａのリストが表示され、そのリストから所望の文書ボックス１７ａが選択されると、その文書ボックス１７ａ内の文書データファイルのリストが表示される。
【００６３】
以上のように、上記実施の形態によれば、端末装置３は、ページデータに基づく画面を表示装置４２に表示させるウェブブラウザー６２を有する。画像形成装置１は、ウェブブラウザー６２からの要求に応じてページデータを送信する通信処理部３２と、ジョブを受け付けるサービス実行部３８と、ジョブの状態を特定するステータス管理部３６と、ウェブブラウザー６２からの要求に応じて、各未完ジョブの詳細情報画面のページデータへのリンクを含むジョブリスト画面１０２のページデータを生成し通信処理部３２のウェブサーバーでウェブブラウザー６２へ送信するウェブサーバー管理部３７とを有する。そして、詳細情報画面は、１つのジョブについて、ステータス管理部３６により特定された状態を表示する画面である。また、ウェブサーバー管理部３７は、ウェブブラウザー６２からの要求に応じて、ジョブ要求画面のページデータを生成し通信処理部３２のウェブサーバーでウェブブラウザー６２へ送信し、ジョブ要求画面のページデータに基づいてジョブが要求されサービス実行部３８によりジョブが受け付けられると、ジョブの詳細情報画面１０３のページデータへのリンクを含む、ジョブの受付確認画面１０６のページデータを生成し通信処理部３２のウェブサーバーでウェブブラウザー６２へ送信する。
【００６４】
これにより、ユーザーは、ジョブの受付確認画面１０６から詳細情報画面１０３へのリンクを辿ることで、ジョブ受け付け後に、１回の操作でただちに詳細情報画面１０３を表示させることができる。このため、ユーザーがジョブ要求を行った後に、そのジョブの状態の詳細情報を簡単な操作で表示させることができる。
【００６５】
なお、上述の実施の形態は、本発明の好適な例であるが、本発明は、これらに限定されるものではなく、本発明の要旨を逸脱しない範囲において、種々の変形、変更が可能である。
【００６６】
例えば、上記実施の形態では、端末装置３のウェブブラウザー６２に、ページデータに基づく各種画面を表示させているが、その代わりに、画像形成装置１にウェブブラウザーを内蔵し、そのウェブブラウザーで操作パネル１４の表示装置に、端末装置３と同様な画面を表示するようにしてもよい。
【００６７】
また、上記実施の形態では、詳細情報画面１０３へのリンクに、詳細情報画面１０３のページデータのＵＲＬを含める際に、ジョブのＩＤ（ジョブ番号など）をパラメーターとして含め、ウェブサーバー管理部３７は、ページデータの送信要求に含まれるそのＩＤから特定されるジョブの詳細情報画面のページデータを生成するようにしてもよい。
【００６８】
また、上記実施の形態では、受付確認画面１０６に詳細情報画面１０３のページデータへのリンクが含められているが、その代わりに、受付確認画面１０６に、ジョブリスト画面１０２のページデータへのリンクが含められるようにしてもよい。その場合、ジョブリスト画面１０２内のジョブリストには、ジョブ要求画面１０５で要求されたジョブが含まれている。したがって、ユーザーは、ジョブの受付確認画面１０６からジョブリスト画面１０２へのリンクを辿ってジョブリストを表示させ、ジョブ要求画面１０５で要求したジョブをそのジョブリストから選択することで、ジョブ受け付け後に、簡単な操作で詳細情報画面１０３を表示させることができる。このため、ユーザーがジョブ要求を行った後に、そのジョブの状態の詳細情報を簡単な操作で表示させることができる。
【産業上の利用可能性】
【００６９】
本発明は、例えば、複合機などの画像形成装置に適用可能である。
【符号の説明】
【００７０】
１  画像形成装置
２  ネットワーク
３  端末装置
３２  通信処理部（ウェブサーバーの一例）
３６  ステータス管理部（ジョブ状態管理部の一例）
３７  ウェブサーバー管理部（ページデータ生成部の一例）
３８  サービス実行部（ジョブ受付部の一例）
４２  表示装置
６２  ウェブブラウザー
【図１】
0005232846.tif 000002
【図２】
0005232846.tif 000003
【図３】
0005232846.tif 000004
【図４】
0005232846.tif 000005
【図５】
0005232846.tif 000006
【図６】
0005232846.tif 000007